(57)【要約】【課題】主体金具に対する接地電極の固定位置を特定可能な目印部を有するとともに、目印部に欠損が生じにくく、目印部を容易に視認可能な点火プラグを提供する。【解決手段】点火プラグ１は、軸線ＣＬ１方向に延びる軸孔４を有する絶縁碍子２と、軸孔４の後端側に配置された端子電極６と、絶縁碍子２の外周に設けられた筒状の主体金具３と、基端部２７Ｋが主体金具３の先端部２６に固定された棒状の接地電極２７とを備える。端子電極６の後端部には、凹部４２に基づいて構成され、主体金具３に対する接地電極２７の基端部２７Ｋの固定位置を特定可能な目印部４１が設けられる。【選択図】      図１
2014164796.tif 000002
【特許請求の範囲】
【請求項１】
軸線方向に延びる軸孔を有する絶縁体と、
前記軸孔の後端側に配置された端子電極と、
前記絶縁体の外周に設けられた筒状の主体金具と、
基端部が前記主体金具の先端部に固定された棒状の接地電極とを備える点火プラグであって、
前記端子電極の後端部には、凹部に基づいて構成され、前記主体金具に対する前記接地電極の基端部の固定位置を特定可能な目印部が設けられていることを特徴とする点火プラグ。
【請求項２】
前記凹部は、前記端子電極の外周に開口部を有することを特徴とする請求項１に記載の点火プラグ。
【請求項３】
前記目印部は、前記端子電極の径方向に沿って延び、
前記軸線と直交する平面に、前記目印部と前記接地電極の基端部とを前記軸線に沿って投影したとき、前記目印部の投影領域は、前記基端部の投影領域の中心と前記軸線とを通る基準線に平行であるとともに、前記基端部の投影領域の幅方向一端を通る第１直線と、前記基準線に平行であるとともに、前記基端部の投影領域の幅方向他端を通る第２直線との間に位置することを特徴とする請求項１又は２に記載の点火プラグ。
【請求項４】
前記目印部は、前記後端部の色と異なる色の第１の着色部を、少なくとも前記凹部の底面に有することを特徴とする請求項１乃至３のいずれか１項に記載の点火プラグ。
【請求項５】
前記凹部は、前記端子電極の外周に開口部を有し、
前記端子電極の外周面のうち、その周方向に沿って前記開口部と隣接する部位には、前記外周面の色と異なる色の第２の着色部が設けられていることを特徴とする請求項１乃至４のいずれか１項に記載の点火プラグ。
【請求項６】
請求項４に記載の点火プラグの製造方法であって、
前記端子電極に対して所定の切除装置を相対移動させ、前記端子電極の後端部を切除することで、前記凹部を形成する凹部形成工程を含み、
少なくとも前記凹部の底面に着色し、前記第１の着色部を設ける着色装置が、前記切除装置と一体に相対移動可能であり、
前記凹部形成工程においては、前記切除装置の相対移動に伴い、前記着色装置による着色がなされることを特徴とする点火プラグの製造方法。
【発明の詳細な説明】
【技術分野】
【０００１】
本発明は、内燃機関等に使用される点火プラグ及びその製造方法に関する。
【背景技術】
【０００２】
点火プラグは、内燃機関（エンジン）等に取付けられ、燃焼室内の混合気等への着火のために用いられる。一般に点火プラグは、軸線方向に延びる軸孔を有する絶縁体と、軸孔の先端側に挿通される中心電極と、軸孔の後端側に挿通される端子電極と、絶縁体の外周に設けられ外周に取付用のねじ部（雄ねじ部）を有する主体金具と、主体金具の先端部に固定され、中心電極との間で火花放電間隙を形成する接地電極とを備えている。そして、前記火花放電間隙に電圧が印加され、火花放電が生じることにより、混合気等への着火がなされるようになっている。
【０００３】
ところで、点火プラグを内燃機関等に取付けた状態において、例えば、燃料噴射装置と前記間隙との間に接地電極が存在するような位置関係で点火プラグが取付けられてしまうと、噴射された燃料が接地電極の背面に当たってしまう。そのため、接地電極の存在によって前記間隙に対する混合気等の供給が阻害されてしまい、着火性が低下してしまうおそれがある。そこで、主体金具先端部のうち接地電極が固定された部位に対する、前記ねじ部のねじ山の相対的な形成位置を、内燃機関等の取付孔に形成された雌ねじ部の切り始めの位置等に対応した位置とすることで、点火プラグを内燃機関等に取付けたときに、接地電極が狙いの位置に配置されるようにする手法が考えられる。
【０００４】
ところが近年では、燃費性能や出力の向上などの面から、点火プラグを内燃機関等に取付けた際に、接地電極の配置位置を非常に精度よく制御できることが求められている。上述の手法では、取付時に点火プラグと内燃機関等との間で生じる摩擦力や、製造公差などの影響により、接地電極が狙いの位置から若干ずれてしまうことがあり、上述の手法による接地電極の配置位置の制御にも限界がある。
【０００５】
そこで、点火プラグのうち、内燃機関等への取付時に工具が係合される六角部に、正規の締付位置を示す凸状の識別部を設けるとともに、工具に凹状の感知部を設け、六角部に工具を係合した際に感知部にのみ識別部が協働するように構成し、正規の締付位置に工具が配置されたときに、接地電極が狙いの位置に配置されるようにする技術が提案されている（例えば、特許文献１等参照）。
【０００６】
また、主体金具に対する接地電極の固定位置と対応する位置に、主体金具の後端部から絶縁体の後端部にかけて蛍光塗料によるマーキングを付す技術が提案されている（例えば、特許文献２等参照）。当該技術によれば、燃焼室内に接地電極が配置され、外部から接地電極を視認することができない状態であっても、主体金具に対する接地電極の固定位置を把握することができる。
【先行技術文献】
【特許文献】
【０００７】
【特許文献１】特公平７−１９６３７号公報
【特許文献２】特開２０１１−８１９７８号公報
【発明の概要】
【発明が解決しようとする課題】
【０００８】
しかしながら、内燃機関等に対する点火プラグの取付時において、六角部には非常に大きなトルクが加わるため、上記特許文献１に記載の技術では、点火プラグの取付時に、識別部が容易に破損してしまうおそれがある。また、感知部及び識別部の存在を考慮することなく、六角部に対して工具を無理に係合することで、工具に対して六角部が嵌り込んでしまうおそれがある。
【０００９】
さらに、上記特許文献２に記載の技術では、点火プラグの後端側（プラグホールの開口側）からマーキングを視認することが難しい。特に近年では、点火プラグの小径化に伴い、絶縁体や主体金具が小径とされるため、点火プラグの後端側から見た際に視認可能なマーキングの面積がより小さなものとなる。そのため、マーキングに基づいて、主体金具に対する接地電極の固定位置を把握することはより難しい。
【００１０】
尚、マーキングを前記端子電極の後端面上に設けることも考えられるが、この場合には、点火プラグの搬送時などに、マーキングが容易に剥がれてしまったり、かすれてしまったりおそれがある。
【００１１】
本発明は、上記事情を鑑みてなされたものであり、その目的は、主体金具に対する接地電極の固定位置を特定可能な目印部を有するとともに、目印部に欠損が生じにくく、かつ、目印部を容易に視認可能な点火プラグを提供することにある。
【課題を解決するための手段】
【００１２】
以下、上記目的を解決するのに適した各構成につき、項分けして説明する。なお、必要に応じて対応する構成に特有の作用効果を付記する。
【００１３】
構成１．本構成の点火プラグは、軸線方向に延びる軸孔を有する絶縁体と、
前記軸孔の後端側に配置された端子電極と、
前記絶縁体の外周に設けられた筒状の主体金具と、
基端部が前記主体金具の先端部に固定された棒状の接地電極とを備える点火プラグであって、
前記端子電極の後端部には、凹部に基づいて構成され、前記主体金具に対する前記接地電極の基端部の固定位置を特定可能な目印部が設けられていることを特徴とする。
【００１４】
上記構成１によれば、燃焼室内に接地電極が配置されている場合など、接地電極を外部から視認できない状態であっても、目印部により、主体金具に対する接地電極の基端部の固定位置を特定することができる。従って、点火プラグを内燃機関等に取付ける際に、接地電極を狙いの位置に対して非常に精度よく配置することができる。
【００１５】
また、上記構成１によれば、目印部は凹部に基づいて構成されている。従って、点火プラグの搬送時等において、目印部に欠損が生じるといった事態は極めて生じにくくなる。その結果、目印部による前記固定位置の特定機能をより確実に発揮させることができる。
【００１６】
さらに、目印部は端子電極の後端部に設けられるため、点火プラグの後端側から見た際における目印部の視認面積を十分に大きくすることができる。従って、目印部を極めて容易に視認することができ、前記固定位置を容易に特定することができる。
【００１７】
構成２．本構成の点火プラグは、上記構成１において、前記凹部は、前記端子電極の外周に開口部を有することを特徴とする。
【００１８】
上記構成２によれば、点火プラグの外周側から、目印部及び接地電極を同時に視認することが可能となる。従って、目印部が接地電極の固定位置を特定可能な位置に正確に設けられているか否かを、点火プラグの外周側から容易に確認することができる。
【００１９】
構成３．本構成の点火プラグは、上記構成１又は２において、前記目印部は、前記端子電極の径方向に沿って延び、
前記軸線と直交する平面に、前記目印部と前記接地電極の基端部とを前記軸線に沿って投影したとき、前記目印部の投影領域は、前記基端部の投影領域の中心と前記軸線とを通る基準線に平行であるとともに、前記基端部の投影領域の幅方向一端を通る第１直線と、前記基準線に平行であるとともに、前記基端部の投影領域の幅方向他端を通る第２直線との間に位置することを特徴とする。
【００２０】
点火プラグの周方向において、主体金具に対する接地電極基端部の固定位置と同一位置（同位相の位置）に目印部を設ける場合などにおいては、目印部により基端部の固定位置が特定可能となるものの、目印部の幅を基端部の幅以上とすると、点火プラグをその後端側から見たときに、例えば、基端部の固定位置が、目印部の幅方向一端側に位置していることも考えられるし、目印部の幅方向中央側に位置していることも考えられるし、目印部の幅方向他端側に位置していることも考えられる。従って、基端部の固定位置を正確に特定することが難しくなるおそれがある。
【００２１】
この点、上記構成３によれば、目印部の投影領域が、第１直線と第２直線との間に位置するように構成されており、目印部の幅が基端部の幅よりも小さなものとなるように構成されている。従って、目印部に基づいて、基端部の固定位置をより正確に特定することができる。その結果、内燃機関等に対して点火プラグを取付ける際に、接地電極を狙いの配置位置に対して一層精度よく配置することができる。
【００２２】
構成４．本構成の点火プラグは、上記構成１乃至３のいずれかにおいて、前記目印部は、前記後端部の色と異なる色の第１の着色部を、少なくとも前記凹部の底面に有することを特徴とする。
【００２３】
上記構成４によれば、点火プラグの後端側から見た際に、目印部の識別性をより向上させることができる。これにより、接地電極の固定位置を一層容易に把握することができる。
【００２４】
また、上記構成４によれば、第１の着色部は凹部の底面に設けられている。従って、点火プラグの搬送時や取付時に端子電極へと加わる衝撃等により、第１の着色部にかすれや剥がれが生じてしまうことをより確実に防止できる。その結果、良好な目印部の識別性をより確実に維持することができる。
【００２５】
構成５．本構成の点火プラグは、上記構成１乃至４のいずれかにおいて、前記凹部は、前記端子電極の外周に開口部を有し、
前記端子電極の外周面のうち、その周方向に沿って前記開口部と隣接する部位には、前記外周面の色と異なる色の第２の着色部が設けられていることを特徴とする。
【００２６】
上記構成５によれば、点火プラグを外周側から見た際に、開口部が視認しやすくなり、ひいては目印部の識別性を向上させることができる。その結果、目印部が接地電極の固定位置を特定可能な位置に正確に設けられているか否かを一層容易に確認することができる。
【００２７】
構成６．本構成の点火プラグの製造方法は、上記構成４に記載の点火プラグの製造方法であって、
前記端子電極に対して所定の切除装置を相対移動させ、前記端子電極の後端部を切除することで、前記凹部を形成する凹部形成工程を含み、
少なくとも前記凹部の底面に着色し、前記第１の着色部を設ける着色装置が、前記切除装置と一体に相対移動可能であり、
前記凹部形成工程においては、前記切除装置の相対移動に伴い、前記着色装置による着色がなされることを特徴とする。
【００２８】
上記構成６によれば、凹部の形成と第１の着色部の形成とを１つの工程にて同時期に行うことができる。従って、生産性の向上を図ることができるとともに、製造装置の簡素化を図ることができる。
【図面の簡単な説明】
【００２９】
【図１】点火プラグの構成を示す一部破断正面図である。
【図２】端子電極の後端部の構成を示す拡大斜視図である。
【図３】点火プラグの側面図である。
【図４】接地電極の基端部や目印部を投影した投影図である。
【図５】点火プラグを取付ける際に利用可能な工具を示す拡大断面図である。
【図６】点火プラグを取付ける際に利用可能な工具の別例を示す拡大断面図である。
【図７】第２実施形態における、点火プラグの構成を示す一部破断正面図である。
【図８】第２実施形態における、端子電極の後端部の構成を示す拡大斜視図である。
【図９】第２実施形態における、点火プラグの側面図である。
【図１０】接地電極の基端部や目印部を投影した投影図である。
【図１１】別の実施形態における目印部を示す図であり、（ａ），（ｃ）は、端子電極の後端部の拡大斜視図であり、（ｂ），（ｄ）は、端子電極の後端部の拡大平面図である。
【図１２】別の実施形態における目印部を示す図であり、（ａ），（ｃ）は、端子電極の後端部の拡大斜視図であり、（ｂ），（ｄ）は、端子電極の後端部の拡大平面図である。
【図１３】（ａ）〜（ｄ）は、凹部形成工程で用いられる切除装置等を示す一部破断模式図である。
【図１４】別の実施形態における凹部を示す図であり、（ａ），（ｃ）は、端子電極の後端部の拡大斜視図であり、（ｂ），（ｄ）は、端子電極の後端部の拡大平面図である。
【図１５】（ａ），（ｂ）は、別の実施形態における凹部の底面の形状を示す拡大断面図である。
【図１６】（ａ），（ｂ）は、第２の着色部を示す端子電極の後端部の拡大斜視図である。
【図１７】（ａ），（ｂ）は、別の実施形態における目印部の構成を示す拡大平面図である。
【図１８】（ａ），（ｂ）は、別の実施形態における目印部の構成を示す拡大平面図である。
【発明を実施するための形態】
【００３０】
以下に、実施形態について図面を参照しつつ説明する。
〔第１実施形態〕
図１は、点火プラグ１を示す一部破断正面図である。尚、図１では、点火プラグ１の軸線ＣＬ１方向を図面における上下方向とし、下側を点火プラグ１の先端側、上側を後端側として説明する。
【００３１】
点火プラグ１は、筒状をなす絶縁体としての絶縁碍子２、これを保持する筒状の主体金具３などから構成されるものである。
【００３２】
絶縁碍子２は、周知のようにアルミナ等を焼成して形成されており、その外形部において、後端側に形成された後端側胴部１０と、当該後端側胴部１０よりも先端側において径方向外向きに突出形成された大径部１１と、当該大径部１１よりも先端側においてこれよりも細径に形成された中胴部１２と、当該中胴部１２よりも先端側においてこれよりも細径に形成された脚長部１３とを備えている。加えて、絶縁碍子２のうち、大径部１１、中胴部１２、及び、大部分の脚長部１３は、主体金具３の内部に収容されている。そして、中胴部１２と脚長部１３との連接部にはテーパ状の段部１４が形成されており、当該段部１４にて絶縁碍子２が主体金具３に係止されている。
【００３３】
さらに、絶縁碍子２には、軸線ＣＬ１方向に延びる軸孔４が貫通形成されており、当該軸孔４の先端側には中心電極５が挿設されている。当該中心電極５は、熱伝導性に優れる金属（例えば、銅や銅合金等）からなる内層５Ａ、及び、ニッケル（Ｎｉ）を主成分とする合金からなる外層５Ｂを備えている。さらに、中心電極５の先端部には、耐消耗性に優れる金属（例えば、Ｐｔ、Ｉｒ、Ｐｄ、Ｒｈ、Ｒｕ、及び、Ｒｅ等のうち１種類以上を含有する金属など）からなる円柱状のチップ３１が設けられている。また、中心電極５は、全体として棒状（円柱状）をなし、絶縁碍子２の先端から突出している。
【００３４】
加えて、軸孔４の後端側には、所定の金属（例えば、低炭素鋼など）からなる棒状の端子電極６が設けられている。端子電極６は、その後端部が絶縁碍子２の後端から突出しており、端子電極６の後端部に対して電力供給用の端子（図示せず）が接続されるようになっている。
【００３５】
さらに、軸孔４の中心電極５と端子電極６との間には、円柱状の抵抗体７が配設されている。当該抵抗体７の両端部は、導電性のガラスシール層８，９を介して、中心電極５と端子電極６とにそれぞれ電気的に接続されている。
【００３６】
加えて、前記主体金具３は、低炭素鋼等の金属により筒状に形成されており、その外周面には点火プラグ１を内燃機関や燃料電池改質器等の取付孔に取付けるためのねじ部（雄ねじ部）１５が形成されている。また、ねじ部１５よりも後端側には径方向外側に突出する座部１６が形成され、ねじ部１５後端のねじ首１７にはリング状のガスケット１８が嵌め込まれている。さらに、主体金具３の後端側には、主体金具３を内燃機関等に取付ける際にレンチ等の工具を係合させるための断面六角形状の工具係合部１９が設けられるとともに、後端部において絶縁碍子２を保持するための加締め部２０が設けられている。
【００３７】
また、主体金具３の内周面には、絶縁碍子２を係止するためのテーパ状の段部２１が設けられている。そして、絶縁碍子２は、主体金具３に対してその後端側から先端側に向かって挿入され、自身の段部１４が主体金具３の段部２１に係止された状態で、主体金具３の後端側開口部を径方向内側に加締めること、つまり上記加締め部２０を形成することによって主体金具３に固定されている。尚、段部１４，２１間には、円環状の板パッキン２２が介在されている。これにより、燃焼室内の気密性を保持し、燃焼室内に晒される絶縁碍子２の脚長部１３と主体金具３の内周面との隙間に入り込む燃料ガスが外部に漏れないようになっている。
【００３８】
さらに、加締めによる密閉をより完全なものとするため、主体金具３の後端側においては、主体金具３と絶縁碍子２との間に環状のリング部材２３，２４が介在され、リング部材２３，２４間にはタルク（滑石）２５の粉末が充填されている。すなわち、主体金具３は、板パッキン２２、リング部材２３，２４及びタルク２５を介して絶縁碍子２を保持している。
【００３９】
また、主体金具３の先端部２６には、棒状をなす接地電極２７の基端部２７Ｋが固定されている。接地電極２７は、Ｎｉを主成分とする合金等により形成されるとともに、自身の略中間部分にて曲げ返されている。加えて、接地電極２７の先端部には、耐消耗性に優れる金属（例えば、Ｐｔ、Ｉｒ、Ｐｄ、Ｒｈ、Ｒｕ、及び、Ｒｅ等のうち１種類以上を含有する金属など）からなる円柱状のチップ３２が設けられている。そして、中心電極５の先端部（チップ３１）と、接地電極２７の先端部（チップ３２）との間には、火花放電間隙３３が形成されており、当該火花放電間隙３３にて軸線ＣＬ１にほぼ沿った方向で火花放電が生じるように構成されている。
【００４０】
加えて、本実施形態では、図２及び図３に示すように、端子電極６の後端部（より詳しくは、端子電極６のうち軸線ＣＬ１方向後端側から視認可能な部分）には、径方向に延びるとともに、端子電極６の外周面から軸線ＣＬ１を若干越える位置まで連通する凹部４２が設けられている。当該凹部４２は、図３に示すように、点火プラグ１の周方向において、主体金具３に対する接地電極２７の基端部２７Ｋの固定位置と同一位置（すなわち、主体金具３に対する基端部２７Ｋの固定位置と同位相の位置）に設けられている。つまり、凹部４２に基づいて（本実施形態では、凹部４２のみにより）、主体金具３に対する基端部２７Ｋの固定位置を特定可能な目印部４１が構成されている。
【００４１】
また、前記凹部４２は、端子電極６の外周に開口する開口部４２Ａを有している。そのため、点火プラグ１をその外周側から見たときに、主体金具３に対する前記基端部２７Ｋの固定位置と、凹部４２ひいては目印部４１の形成位置とを一度に視認できるようになっている。
【００４２】
さらに、端子電極６の径方向と直交する方向に沿った目印部４１の幅は、基端部２７Ｋの幅よりも小さくなるように構成されている。詳述すると、図４に示すように、軸線ＣＬ１と直交する平面ＶＳに、目印部４１と基端部２７Ｋとを軸線ＣＬ１に沿って投影する。さらに、基端部２７Ｋの投影領域２７ＫＸの中心ＣＰと軸線ＣＬ１とを通る基準線ＢＬに平行であるとともに、基端部２７Ｋの投影領域２７ＫＸの幅方向一端を通る第１直線ＶＬ１と、基準線ＢＬに平行であるとともに、基端部２７Ｋの投影領域２７ＫＸの幅方向他端を通る第２直線ＶＬ２とを引く。このとき、目印部４１の投影領域４１Ｘは、前記両直線ＶＬ１，ＶＬ２の間（図４中、散点模様を付した領域）に位置するように構成されている。
【００４３】
また、点火プラグ１を内燃機関等に取付けるにあたっては、次述する工具２０１を用いることが好ましい。工具２０１は、図５に示すように、工具係合部１９の外周に係合可能な係合部２０２Ｅを内周に有する筒状の本体部２０２と、当該本体部２０２の一端側から径方向外側に延びる棒状のハンドル部２０３とを備えている。また、本体部２０２の内周には、凹部４２に係合可能な突起部２０２Ｐが設けられており、本体部２０２の周方向において、突起部２０２Ｐの形成位置とハンドル部２０３の配設位置とは同一位置（つまり、両者は同位相）とされている。工具２０１を用いて点火プラグ１を内燃機関等に取付ける際には、工具係合部１９に係合部２０２Ｅを係合するとともに、凹部４２に対して突起部２０２Ｐを係合させる。これにより、ハンドル部２０３の位置は、主体金具３に対する基端部２７Ｋの固定位置と同位相となる。そのため、点火プラグ１の取付時において、接地電極２７を直接視認することはできないものの、ハンドル部２０３の位置に基づいて、基端部２７Ｋの固定位置を特定することができる。その結果、接地電極２７の位置合わせが極めて容易になり、接地電極２７を所望の配置位置に対して非常に精度よく配置することが可能となる。
【００４４】
尚、図６（ａ），（ｂ）〔尚、図６（ａ）では、図示の便宜上、位置表示部２０９に厚さを持たせている〕に示すように、ハンドル部を備えず、本体部２０７のみを有する工具２０６を用いてもよい。工具２０６は、その一端側外表面に、本体部２０７と異なる色が着色されることで形成された位置表示部２０９〔図６（ａ）において、太線で示す部位〕を備えており、本体部２０７の周方向において、突起部２０７Ｐの形成位置と位置表示部２０９の配設位置とは同一位置（つまり、両者は同位相）とされている。このような工具２０６を用いることで、レンチにより手動で点火プラグ１を取付ける際であっても、インパクトレンチにより機械で点火プラグを取付ける際であっても、位置表示部２０９に基づいて、基端部２７Ｋの固定位置を特定することができる。その結果、接地電極２７を精度よく所望の位置に配置することができる。尚、位置表示部２０９は、例えば、凸部や凹部により形成してもよい。また、基端部２７Ｋの固定位置をより正確に特定可能とすべく、位置表示部２０９の幅を基端部２７Ｋの幅よりも小さくすることが好ましい。
【００４５】
以上詳述したように、本実施形態によれば、燃焼室内に接地電極２７が配置されている場合など、接地電極２７を外部から視認できない状態であっても、目印部４１により、主体金具３に対する基端部２７Ｋの固定位置を特定することができる。従って、点火プラグ１を内燃機関等に取付ける際に、接地電極２７を狙いの位置に対して非常に精度よく配置することができる。
【００４６】
また、目印部４１は凹部４２に基づいて構成されているため、点火プラグ１の搬送時等において、目印部４１に欠損が生じるといった事態は極めて生じにくくなる。その結果、目印部４１による前記固定位置の特定機能をより確実に発揮させることができる。
【００４７】
さらに、目印部４１は端子電極６の後端部に設けられるため、点火プラグ１の後端側から見た際における目印部４１の視認面積を十分に大きくすることができる。従って、目印部４１を極めて容易に視認することができ、基端部２７Ｋの固定位置を容易に特定することができる。
【００４８】
加えて、本実施形態では、端子電極６の外周に開口部４２Ａが設けられているため、点火プラグ１の外周側から、目印部４１及び接地電極２７を同時に視認することが可能となる。従って、目印部４１が前記固定位置を特定可能な位置に正確に設けられているか否かを、点火プラグ１の外周側から容易に確認することができる。
【００４９】
併せて、目印部４１の投影領域４１Ｘが、第１直線ＶＬ１と第２直線ＶＬ２との間に位置するように構成されており、目印部４１の幅が基端部２７Ｋの幅よりも小さなものとなるように構成されている。従って、目印部４１に基づいて、基端部２７Ｋの固定位置をより正確に特定することができる。その結果、内燃機関等に対して点火プラグ１を取付ける際に、接地電極２７を狙いの配置位置に対して一層精度よく配置することができる。
〔第２実施形態〕
次いで、第２実施形態について、上記第１実施形態との相違点を中心に説明する。本第２実施形態では、図７に示すように、後端側胴部１０の表面を這った放電（いわゆるフラッシュオーバー）の発生を抑制するために、後端側胴部１０の軸線ＣＬ１に沿った長さがより大きなものとされる一方で、主体金具３の後端から端子電極３６の後端までの距離を所定値以内とすべく、端子電極３６は、その後端部（絶縁碍子２の後端から露出している部位）の軸線ＣＬ１に沿った長さが比較的小さいものとされている。また、図８に示すように、端子電極３６の後端部外周には、軸線ＣＬ１方向後端側に延びる環状の外壁部３７が設けられており、外壁部３７により、端子電極３６の後端部中央には、軸線ＣＬ１を深さ方向とする凹状の窪み部３８が形成されている。そして、電力供給用の端子（図示せず）が窪み部３７に配置されるようになっている。
【００５０】
そして、本第２実施形態では、外壁部３７に、端子電極３６の径方向に延びるとともに、外壁部３７の外周から内周に貫通する凹部５２が設けられている。当該凹部５２は、図９に示すように、点火プラグ１の周方向において、主体金具３に対する接地電極２７の基端部２７Ｋの固定位置と同一位置（すなわち、主体金具３に対する基端部２７Ｋの固定位置と同位相の位置）に設けられている。つまり、凹部５２に基づいて（本第２実施形態では、凹部５２のみにより）、主体金具３に対する基端部２７Ｋの固定位置を特定可能な目印部５１が構成されている。
【００５１】
さらに、前記凹部５２は、端子電極３６の外周に開口する開口部５２Ａを有している。そのため、点火プラグ１をその外周側から見たときに、主体金具３に対する基端部２７Ｋの固定位置と、凹部５２ひいては目印部５１の形成位置とを一度に視認できるようになっている。
【００５２】
また、端子電極３６の径方向と直交する方向に沿った目印部５１の幅は、基端部２７Ｋの幅よりも小さくなるように構成されている。詳述すると、図１０に示すように、軸線ＣＬ１と直交する平面ＶＳに、目印部５１と基端部２７Ｋとを軸線ＣＬ１に沿って投影する。さらに、基端部２７Ｋの投影領域２７ＫＸの中心ＣＰと軸線ＣＬ１とを通る基準線ＢＬに平行であるとともに、基端部２７Ｋの投影領域２７ＫＸの幅方向一端を通る第１直線ＶＬ１と、基準線ＢＬに平行であるとともに、基端部２７Ｋの投影領域２７ＫＸの幅方向他端を通る第２直線ＶＬ２とを引く。このとき、目印部５１の投影領域５１Ｘは、前記両直線ＶＬ１，ＶＬ２の間（図１０中、散点模様を付した領域）に位置するように構成されている。
【００５３】
以上、本第２実施形態によれば、基本的には上記第１実施形態と同様の作用効果が奏されることとなる。
【００５４】
尚、上記実施形態の記載内容に限定されず、例えば次のように実施してもよい。勿論、以下において例示しない他の応用例、変更例も当然可能である。
【００５５】
（ａ）上記実施形態では、凹部４２，５２のみに基づいて、目印部４１，５１が構成されている。これに対して、図１１（ａ）〜（ｄ）に示すように、目印部６１，７１が、少なくとも凹部６２，７２の底面６２Ｂ，７２Ｂに設けられ、端子電極６，３６の後端部の色と異なる色の第１の着色部６３，７３（図１１中、散点模様を付した部位）を有し、目印部６１，７１が、凹部６２，７２と、第１の着色部６３，７３とにより構成されることとしてもよい。この場合には、軸線ＣＬ１方向後端側から点火プラグ１を見た際に、目印部６１，７１の識別性を向上させることができ、ひいては基端部２７Ｋの固定位置を一層容易に特定することができる。また、第１の着色部６３，７３は、凹部６２，７２の底面６２Ｂ，７２Ｂに設けられているため、点火プラグ１の搬送時や取付時に端子電極６，３６へと加わる衝撃等により、第１の着色部６３，７２にかすれや剥がれが生じてしまうことをより確実に防止できる。
【００５６】
（ｂ）上記第１実施形態において、凹部４２は、端子電極６の外周から軸線ＣＬ１を若干超える位置まで連通するように構成されているが、図１２（ａ），（ｂ）に示すように、端子電極６を貫通するように凹部８２を構成してもよい。尚、この場合には、基端部２７Ｋの固定位置側に位置する凹部８２の底面８２Ｂに第１の着色部８３〔図１２（ａ），（ｂ）中、散点模様を付した部位〕を設け、凹部８２と、第１の着色部８３とにより、基端部２７Ｋの固定位置を特定可能な目印部８１を構成してもよい。
【００５７】
また、上記第２実施形態において、凹部５２は１つのみ設けられているが、図１２（ｃ），（ｄ）に示すように、凹部９２を端子電極３６の周方向に沿って間欠的に複数設けてもよい。尚、この場合には、基端部２７Ｋの固定位置側に位置する凹部９２の底面９２Ｂに第１の着色部９３〔図１２（ｃ），（ｄ）中、散点模様を付した部位〕を設け、凹部９２と、第１の着色部９３とにより、基端部２７Ｋの固定位置を特定可能な目印部９１を構成してもよい。尚、図１２（ｃ），（ｄ）では、凹部９２が２つ設けられているが、凹部９２の数はこれに限定されるものではなく、凹部を３つ以上設けてもよい。
【００５８】
さらに、凹部８２，９２に第１着色部８３，９３を設けるにあたっては、図１３（ａ）〜（ｄ）に示すように、端子電極６，３６の後端部を切除することにより凹部８２，９２を形成する凹部形成工程において、次述する切除装置２１１を用いることが、生産性等の面から好ましい。
【００５９】
切除装置２１１は、端子電極６，３６の径方向に沿って端子電極６，３６に対して相対移動可能であり、端子電極６，３６の後端部を切除する際において端子電極６，３６に擦れながら接触する部位に、例えば、所定のローラ等により構成された着色装置２１２を備えている。着色装置２１２は、切除装置２１１と一体に相対移動可能であり、所定の塗料がその外周に付着されるように構成されている。そして、凹部形成工程においては、切除装置２１１の相対移動に伴い、着色装置２１２が端子電極６，３６の切断面に接触することで、塗料が前記切断面に付着する。その結果、凹部８２，９２の底面８２Ｂ，９２Ｂに着色がなされ、第１の着色部８３，９３が設けられることとなる。このような切除装置２１１を用いることにより、凹部８２，９２の形成と、第１の着色部８３，９３の形成とを１つの工程にて同時期に行うことができる。従って、生産性の向上を図ることができるとともに、製造装置の複雑化を防止することができる。
【００６０】
尚、上記においては、切除装置２１１による凹部８２，９２の形成と第１の着色部８３，９３の形成とを示しているが、切除装置２１１により形成可能な凹部は、凹部８２，９２に限られるものではなく、また、切除装置２１１により形成可能な第１の着色部は、第１の着色部８３，９３に限られるものではない。
【００６１】
また、上記においては、第１の着色部が凹部の底面に設けられているが、第１の着色部を凹部の側面に設けることとしてもよい。
【００６２】
（ｃ）上記第１実施形態において、凹部４２は、端子電極６の外周から軸線ＣＬ１を若干越える位置まで連通するように構成されているが、図１４（ａ），（ｂ）に示すように、凹部１０２が端子電極６の外周から軸線ＣＬ１の手前まで延びるように構成してもよい。また、上記第２実施形態において、凹部５２は、外壁部３７の外周から内周に貫通するように構成されているが、図１４（ｃ），（ｄ）に示すように、凹部１１２が外壁部３７を貫通しないように構成してもよい。すなわち、端子電極６，３６の径方向に沿った凹部の長さは適宜変更可能である。
【００６３】
（ｄ）上記実施形態において、凹部４２，５２の底面４２Ｂ，５２Ｂは軸線ＣＬ１と直交する方向に延びるように構成されているが、例えば、図１５（ａ），（ｂ）に示すように、底面１２２Ｂ，１３２Ｂが軸線ＣＬ１に対して斜めに交差する方向に延びるように凹部１２２，１３２を構成してもよい。すなわち、凹部の底面の形状は、特に限定されるものではない。
【００６４】
（ｅ）上記においては、凹部の底面に第１の着色部が設けられているが、図１６（ａ），（ｂ）に示すように、端子電極６，３６の外周面のうち、その周方向に沿って前記開口部４２Ａ，５２Ａと隣接する部位に、前記外周面の色と異なる色の第２の着色部４４，５４を設けることとしてもよい。この場合には、点火プラグ１を外周側から見た際に、開口部４２Ａ，５２Ａが視認しやすくなり、ひいては目印部４１，５１の識別性を向上させることができる。その結果、目印部４１，５１が基端部２７Ｋの固定位置に対応する位置に正確に設けられているか否かを一層容易に確認することができる。尚、第２の着色部４４，５４は、例えば、第１の着色部を形成した後に、端子電極６の外周を着色することで形成することができる。
【００６５】
（ｆ）図１７（ａ），（ｂ）に示すように、端子電極６，３６の周方向に沿って複数の凹部１４２，１５２を設ける一方で、凹部１４２，１５２の形成位置を調節することで、第１の着色部を設けることなく、基端部２７Ｋの固定位置を特定可能としてもよい。例えば、図１７（ａ）では、比較的狭い間隔で並ぶ３つの凹部１４２（図の左側の凹部１４２）のうち中央の凹部１４２が目印部１４１を構成するとし、目印部１４１により基端部２７Ｋの固定位置を特定可能としてもよい。また、例えば、図１７（ｂ）では、比較的狭い間隔で並ぶ３つの凹部１５２とは、軸線ＣＬ１を挟んで反対側に位置する凹部１５２（図の右側の凹部）が目印部１５１を構成するとし、目印部１５１により基端部２７Ｋの固定位置を特定可能としてもよい。
【００６６】
（ｇ）上記実施形態では、凹部４２，５２自体が目印部４１，５１の構成要素となっているが、図１８（ａ），（ｂ）に示すように、２つの凹部１６２に挟まれた凸部１６５や、２つの凹部１７２に挟まれた凸部１７５が目印部１６１，１７１を構成することとしてもよい。つまり、凹部自体は目印部の構成要素とはならず、凹部に基づいて構成された要素（上記では、凸部１６５，１７５）が目印部の構成要素となるように構成してもよい。
【００６７】
（ｈ）上記実施形態において、目印部４１，５１は、基端部２７Ｋの固定位置と同位相となる位置に設けられているが、基端部２７Ｋの固定位置を特定可能である限り、目印部４１，５１の位置は特に限定されない。従って、例えば、目印部を、点火プラグ１の周方向に沿って基端部２７Ｋの固定位置から１８０°回転した位置（つまり、基端部２７Ｋとは逆位相の位置）に設けることとしてもよい。また、例えば、目印部を、点火プラグ１の周方向に沿って基端部２７Ｋの固定位置から９０°回転した位置に設けることとしてもよい。
【００６８】
（ｉ）上記実施形態では、主体金具３の先端部２６に接地電極２７が接合される場合に
ついて具体化しているが、主体金具の一部（又は、主体金具に予め溶接してある先端金具の一部）を削り出すようにして接地電極を形成する場合についても適用可能である（例えば、特開２００６−２３６９０６号公報等）。
【００６９】
（ｊ）上記実施形態において、工具係合部１９は断面六角形状とされているが、工具係合部１９の形状に関しては、このような形状に限定されるものではない。例えば、Ｂｉ−ＨＥＸ（変形１２角）形状〔ＩＳＯ２２９７７：２００５（Ｅ）〕等とされていてもよい。
【符号の説明】
【００７０】
１…点火プラグ、２…絶縁碍子（絶縁体）、４…軸孔、６，３６…端子電極、２７…接地電極、２７Ｋ…（接地電極の）基端部、４１，５１…目印部、４２，５２…凹部、４２Ａ，５２Ａ…開口部、４２Ｂ，５２Ｂ…（凹部の）底面、４４，５４…第２の着色部、６３，７３…第１の着色部、２１１…切除装置、２１２…着色装置、ＣＬ１…軸線、ＶＬ１…第１直線、ＶＬ２…第２直線。
【図１】
2014164796.tif 000003
【図２】
2014164796.tif 000004
【図３】
2014164796.tif 000005
【図４】
2014164796.tif 000006
【図５】
2014164796.tif 000007
【図６】
2014164796.tif 000008
【図７】
2014164796.tif 000009
【図８】
2014164796.tif 000010
【図９】
2014164796.tif 000011
【図１０】
2014164796.tif 000012
【図１１】
2014164796.tif 000013
【図１２】
2014164796.tif 000014
【図１３】
2014164796.tif 000015
【図１４】
2014164796.tif 000016
【図１５】
2014164796.tif 000017
【図１６】
2014164796.tif 000018
【図１７】
2014164796.tif 000019
【図１８】
2014164796.tif 000020